(57)【特許請求の範囲】
【請求項１】
輻射熱を発生させて栽培空間の中の温度を調整する冷暖房ユニットと、
ミストを発生させて前記栽培空間の中の湿度を調整するミスト発生ユニットと、
前記栽培空間の中から外への空気の流れを発生させて排気することで前記栽培空間の中の二酸化炭素濃度を調整する排気ユニットと、
前記栽培空間の中の湿度を測定する湿度計と、
前記ミスト発生ユニット及び前記排気ユニットの動作を制御する制御ユニットと、を備え、
前記制御ユニットは、前記冷暖房ユニットによる冷房運転とは異なる急速冷房運転時に、前記排気ユニットの動作を停止させると共に前記ミスト発生ユニットを動作させてミストの気化熱による冷房効果を得る第１制御と、前記第１制御の後に前記ミスト発生ユニットの動作を停止させると共に前記排気ユニットを動作させて排気による除湿効果を得る第２制御と、前記第２制御の後に前記ミスト発生ユニットの動作を停止させている状態を維持すると共に前記排気ユニットの動作を停止させて待機することで、一旦過加湿の状態に曝された前記湿度計を正常に動作させる第３制御と、を繰り返し行うことを特徴とする
菌床栽培システム。
【請求項２】
前記排気ユニットの動作に起因する前記栽培空間の外と中の圧力差によって、前記栽培空間の外から中へ空気を導入する導気ユニットを備えていることを特徴とする
請求項１に記載の菌床栽培システム。
【請求項３】
前記排気ユニットによって前記栽培空間の中から外へ排出される空気、及び前記導気ユニットによって前記栽培空間の外から中へ導入される空気の間で熱交換を行う熱交換器を備えていることを特徴とする
請求項２に記載の菌床栽培システム。
【請求項４】
前記冷暖房ユニットは、輻射熱を発生させる熱媒体の流路を床下に有している床冷暖房ユニットであることを特徴とする
請求項１〜３のいずれかに記載の菌床栽培システム。
【請求項５】
前記排気ユニットは、前記栽培空間の天面側から排気し、
前記導気ユニットは、前記栽培空間の床面側から面的に空気を導入することを特徴とする
請求項４に記載の菌床栽培システム。
【請求項６】
請求項１〜５のいずれかに記載の菌床栽培システムを用いて、キノコを栽培することを特徴とする
キノコの栽培方法。
【発明の詳細な説明】
【技術分野】
【０００１】
本発明は、キクラゲ等のキノコの栽培に好適な菌床栽培システム、及びそれを用いたキノコの栽培方法に関する。
【背景技術】
【０００２】
キクラゲ等のキノコを量産する菌床栽培システムは、栽培空間の中の温度、湿度及び二酸化炭素濃度の制御を行う（例えば、特許文献１及び２参照）。
【先行技術文献】
【特許文献】
【０００３】
【特許文献１】特開平０６−００７０３１号公報
【特許文献２】特公平０７−１１４６０６号公報
【発明の概要】
【発明が解決しようとする課題】
【０００４】
このような菌床栽培システムでは、菌床及び栽培しているキノコへの風の直撃を避けつつ栽培空間の中全体の温度、湿度及び二酸化炭素濃度を均一に保つ必要がある等、栽培空間の中の温度、湿度及び二酸化炭素濃度の制御を安定して行うことが求められる。
【０００５】
本発明は、上記課題を鑑みてなされたものであり、栽培空間の中の環境の制御を安定して行う菌床栽培システム、及びそれを用いたキノコの栽培方法を提供することを目的とする。
【課題を解決するための手段】
【０００６】
（１）本発明は、輻射熱を発生させて栽培空間の中の温度を調整する冷暖房ユニットと、ミストを発生させて前記栽培空間の中の湿度を調整するミスト発生ユニットと、前記栽培空間の中から外への空気の流れを発生させて排気することで前記栽培空間の中の二酸化炭素濃度を調整する排気ユニットと、前記栽培空間の中の湿度を測定する湿度計と、前記ミスト発生ユニット及び前記排気ユニットの動作を制御する制御ユニットと、を備え、前記制御ユニットは、前記冷暖房ユニットによる冷房運転とは異なる急速冷房運転時に、前記排気ユニットの動作を停止させると共に前記ミスト発生ユニットを動作させてミストの気化熱による冷房効果を得る第１制御と、前記第１制御の後に前記ミスト発生ユニットの動作を停止させると共に前記排気ユニットを動作させて排気による除湿効果を得る第２制御と、前記第２制御の後に前記ミスト発生ユニットの動作を停止させている状態を維持すると共に前記排気ユニットの動作を停止させて待機することで、一旦過加湿の状態に曝された前記湿度計を正常に動作させる第３制御と、を繰り返し行うことを特徴とする菌床栽培システムである。
【０００７】
本発明によれば、輻射熱を発生させて栽培空間の中の温度を調整する冷暖房ユニットを備えているので、温風又は冷風を発生させて栽培空間の中の温度を調整する場合と比較して、栽培空間の中の環境の制御を安定して行うことができる。
【０００８】
また、本発明によれば、栽培空間の中から外への空気の流れを発生させて排気することで栽培空間の中の二酸化炭素濃度を調整する排気ユニットを備えているので、吸気ファン等を用い、栽培空間の外から中への空気の流れを強制的に発生させて二酸化炭素濃度を調整する場合と比較して、栽培空間の中の環境の制御を安定して行うことができる。
また、本発明によれば、制御ユニットが急速冷房運転時に、排気ユニットの動作を停止させると共にミスト発生ユニットを動作させてミストの気化熱による冷房効果を得る第１制御を行うので、冷暖房ユニットの能力とは無関係に栽培空間の中の温度を急速に低下させることができる。ひいては、高温になり易い昼間の時間帯や夏場等であっても、栽培空間の中の環境の制御を安定して行うことができる。
また、本発明によれば、制御ユニットが急速冷房運転時に、第１制御の後にミスト発生ユニットの動作を停止させると共に排気ユニットを動作させて排気による除湿効果を得る第２制御を行うので、第１制御を行う時に、冷房効果を高めるために大量のミストを発生させて栽培空間の中を過加湿の状態にした場合であっても、栽培空間の中の湿度を適切な状態に戻すことができる。ひいては、栽培空間の中の環境の制御を安定して行うことができる。
すなわち、本発明によれば、制御ユニットが急速冷房運転時に、第１制御の後にミスト発生ユニットの動作を停止させると共に排気ユニットを動作させて排気による除湿効果を得る第２制御を行うので、第１制御を行う時に、冷房効果を高めるために大量のミストを発生させて栽培空間の中を過加湿の状態にすることができる。ひいては、高温になり易い昼間の時間帯や夏場等であっても、栽培空間の中の環境の制御を安定して行うことができる。
また、本発明によれば、制御ユニットが急速冷房運転時に、第２制御の後にミスト発生ユニットの動作を停止させている状態を維持すると共に排気ユニットの動作を停止させて待機することで、一旦過加湿の状態に曝された前記湿度計を正常に動作させる第３制御を行うので、栽培空間の中の環境の制御を安定して行うことができる。
（２）本発明はまた、前記排気ユニットの動作に起因する前記栽培空間の外と中の圧力差によって、前記栽培空間の外から中へ空気を導入する導気ユニットを備えていることを特徴とする上記（１）に記載の菌床栽培システムである。
本発明によれば、圧力差によって栽培空間の外から中へ空気を導入する導気ユニットを備えているので、吸気ファン等を用い、栽培空間の外から中への空気の流れを強制的に発生させて二酸化炭素濃度を調整する場合と比較して、栽培空間の中の環境の制御を安定して行うことができる。
【００１６】
（３）本発明はまた、前記排気ユニットによって前記栽培空間の中から外へ排出される空気、及び前記導気ユニットによって前記栽培空間の外から中へ導入される空気の間で熱交換を行う熱交換器を備えていることを特徴とする上記（２）に記載の菌床栽培システムである。
【００１８】
本発明によれば、排気ユニットによって栽培空間の中から外へ排出される空気、及び導気ユニットによって栽培空間の外から中へ導入される空気の間で熱交換を行う熱交換器を備えているので、排気によって栽培空間の中から外へ逃げる熱の量を低減することができる。ひいては、栽培空間の中の環境の制御を安定して行うことができる。
（４）本発明はまた、前記冷暖房ユニットは、輻射熱を発生させる熱媒体の流路を床下に有している床冷暖房ユニットであることを特徴とする上記（１）〜（３）のいずれかに記載の菌床栽培システムである。
本発明によれば、冷暖房ユニットが、輻射熱を発生させる熱媒体の流路を床下に有している床冷暖房ユニットであり、下方から栽培空間の中全体に輻射熱が行き渡るので、冷暖房ユニットが栽培空間の中の他の場所に設置されている場合と比較して、栽培空間の中の環境の制御を安定して行うことができる。
【００１９】
（５）本発明はまた、前記排気ユニットは、前記栽培空間の天面側から排気し、前記導気ユニットは、前記栽培空間の床面側から面的に空気を導入することを特徴とする上記（４）に記載の菌床栽培システムである。
【００２０】
本発明によれば、排気ユニットが栽培空間の天面側から排気すると共に、導気ユニットが栽培空間の床面側から面的に空気を導入することで、栽培空間の中全体に下方から上方への緩やかな気流を発生させ、下方に滞留している二酸化炭素を拡散させながら栽培空間の外へ排出するので、排気ユニットが他の場所から排気したり、導気ユニットが栽培空間の他の場所へ空気を導入したりする場合と比較して、栽培空間の中の環境の制御を安定して行うことができる。
【００２１】
（６）本発明はまた、上記（１）〜（５）のいずれかに記載の菌床栽培システムを用いて、キノコを栽培することを特徴とするキノコの栽培方法である。
【００２２】
本発明によれば、上記（１）〜（５）のいずれかに記載の菌床栽培システムを用いて、キノコを栽培するので、栽培空間の中の環境の制御を安定して行うことができる。ひいては、品質の高いキノコを安定して量産することができる。
【発明の効果】
【００２３】
本発明の上記（１）〜（５）に記載の菌床栽培システム、及び上記（６）に記載のキノコの栽培方法によれば、栽培空間の中の環境の制御を安定して行うことができる。ひいては、品質の高いキノコを安定して量産することができる。
【図面の簡単な説明】
【００２４】
【図１Ａ】本発明の実施形態に係る菌床栽培システムを上方から視た概略図である。
【図１Ｂ】図１Ａに示す菌床栽培システムの一部を上方から視た概略図である。
【図２】制御盤の構成を示すブロック図である。
【図３】急速冷房運転時の制御の流れを説明するフローチャートである。
【発明を実施するための形態】
【００２５】
以下、図面を参照して、本発明の実施形態に係る菌床栽培システム１について詳細に説明する。
【００２６】
まず、図１Ａ、図１Ｂ及び図２を用いて、菌床栽培システム１の構成について説明する。図１Ａは、菌床栽培システム１を上方から視た概略図である。図１Ｂは、菌床栽培システム１の一部を上方から視た概略図である。図２は、制御盤１１の構成を示すブロック図である。
【００２７】
図１Ａ及び図１Ｂに示す菌床栽培システム１は、キクラゲ等のキノコを栽培するためのシステムである。この菌床栽培システム１は、地下水を熱源として、高気密高断熱施設空間（栽培空間２ａ）の温度、湿度及び二酸化炭素濃度を常時理想的なコンディションに保つ。これにより、デリケートな生育環境が要求されるキノコ類の生産効率の最大化が可能になる。また、通信機能を活用して生育速度の最適化を図ることで、エネルギーとＩｏＴ技術の高度な融合で高収益型生産システムを実現することができる。
【００２８】
この菌床栽培システム１は、手動又は自動（ＡＩ）で設定された値となるように、制御盤１１（図２参照）によって統括的に制御される。すなわち、菌床栽培システム１は、制御盤１１（図２参照）の制御下において動作して、その動作状況が制御盤１１（図２参照）によって管理される。具体的に、菌床栽培システム１は、各所に配置された温度計１５（図２参照）、湿度計１６（図２参照）及び二酸化炭素濃度測定器１７（図２参照）等の測定結果等に基づいて、設定された値となるように各部の動作がフィードバック制御される。
【００２９】
このような菌床栽培システム１は、栽培室２と、冷暖房ユニット３と、ヒートポンプ４と、井戸５と、ミスト発生ユニット６と、熱交換器７と、換気・熱交換ユニット８と、換気扇９と、吸気ポート１０と、制御盤（制御ユニット）１１（図２参照）と、温度計１５（図２参照）と、湿度計１６（図２参照）と、二酸化炭素濃度測定器１７（図２参照）と、等を備えている。
【００３０】
栽培室２は、栽培空間２ａ及び風除空間２ｂに区切られた二重構造の出入口を採用しており、また、高気密性及び高断熱性を有している。この栽培室２は、栽培空間２ａ及び風除空間２ｂの間に、シートシャッター１２と、ガラス板からなる透明なのぞき窓１３と、を有している。シートシャッター１２は、栽培空間２ａ及び風除空間２ｂを繋ぐ出入口を開閉する。また、栽培室２は、風除空間２ｂ及び外の間に、開き戸１４を有している。開き戸１４は、風除空間２ｂと外を繋ぐ出入口を開閉する。このような栽培室２は、直射日光を避ける場所に設置されていることが好ましく、例えば、倉庫や工場等の建物の中に設置されている。
【００３１】
冷暖房ユニット３は、栽培空間２ａの床下に、輻射熱を発生させる熱媒体の流路３ａを有している床冷暖房ユニットである。この冷暖房ユニット３は、輻射熱を発生させて栽培空間２ａの中の温度を調整する。すなわち、暖房運転時に冷暖房ユニット３は、輻射温熱を発生させて栽培空間２ａの中の温度を上昇させる。あるいは、冷房運転時に冷暖房ユニット３は、輻射冷熱を発生させて栽培空間２ａの中の温度を降下させる。
【００３２】
ヒートポンプ４は、井戸水の熱をかき集め、かき集めた熱を、冷暖房ユニット３の流路３ａを流れる熱媒体に移動させる。すなわち、冷暖房ユニット３の暖房運転時に、ヒートポンプ４は、井戸水の温熱をかき集め、かき集めた温熱を、冷暖房ユニット３の流路３ａを流れる熱媒体に移動させる。冷暖房ユニット３の冷房運転時に、ヒートポンプ４は、井戸水の冷熱をかき集め、かき集めた冷熱を、冷暖房ユニット３の流路３ａを流れる熱媒体に移動させる。
【００３３】
井戸５は、地中熱を有する地下水を井戸水として蓄えている。この井戸５は、井戸水をくみ上げるためのポンプ５ａを有している。ポンプ５ａは、井戸５に蓄えられた井戸水をヒートポンプ４に供給する。ヒートポンプ４で利用された井戸水は、ヒートポンプ４からの排水となる。
【００３４】
ミスト発生ユニット６は、ミストを発生させて栽培空間２ａの中の湿度を調整する。このミスト発生ユニット６は、栽培空間２ａにおける上方に、高圧ミストホース６ａを有している。高圧ミストホース６ａは、多数のノズル（図示省略）を有しており、これら多数のノズル（図示省略）から栽培空間２ａの中に、水道水をミストとして放出する。このようなミスト発生ユニット６は、冷暖房ユニット３とは独立して動作してもよいし、冷暖房ユニット３と連動して動作してもよい。
【００３５】
熱交換器７は、冷暖房ユニット３の流路３ａを流れる熱媒体と、ミスト発生ユニット６で利用される水道水と、の間で熱交換を行う。冷暖房ユニット３の暖房運転時に、熱交換器７は、冷暖房ユニット３の流路３ａを流れる熱媒体の温熱を、ミスト発生ユニット６で利用される水道水に移動させる。冷暖房ユニット３の冷房運転時に、熱交換器７は、冷暖房ユニット３の流路３ａを流れる熱媒体の冷熱を、ミスト発生ユニット６で利用される水道水に移動させる。
【００３６】
このような熱交換器７は、冷暖房ユニット３の流路３ａの経路上に設けられている。図示するように、熱交換器７は、栽培空間２ａの床下からヒートポンプ４に熱媒体が回収される経路上に設けられ、栽培空間２ａの床下で利用された熱の残りを再利用する。ただし、必要に応じて、熱交換器７は、ヒートポンプ４から栽培空間２ａの床下に供給される経路上に設けられ、栽培空間２ａの床下で利用される熱を先に利用するようにしておいてもよい。
【００３７】
換気・熱交換ユニット８は、換気を行って栽培空間２ａの中の二酸化炭素濃度を調整すると共に、換気で出入りする空気の間で熱交換を行う。この換気・熱交換ユニット８は、冷暖房ユニット３と同時に動作することもあるが、冷暖房ユニット３とは独立して動作する。具体的に、換気・熱交換ユニット８は、排気ユニット８１と、導気ユニット８２と、熱交換器８３と、を備えている。
【００３８】
排気ユニット８１は、ファン又はポンプ等の動力源（図示省略）を有しており、栽培空間２ａの中から外への空気の流れを強制的に発生させて排気することで栽培空間２ａの中の二酸化炭素濃度を調整する。この排気ユニット８１は、栽培空間２ａにおける上方に排気口８１ａを有しており、栽培空間２ａの天面側から排気する。
【００３９】
導気ユニット８２は、ファン又はポンプ等の動力源を有しておらず、排気ユニット８１の動作に起因する栽培空間２ａの外と中の圧力差によって、栽培空間２ａの外から中へ空気を導入する。この導気ユニット８２は、栽培空間２ａにおける下方に多数の導気口８２ａを有しており、栽培空間２ａの床面側から面的に空気を導入する。
【００４０】
なお、「面的に空気を導入する」とは、多数の点から空気を導入することで面全体から空気を導入することと同等の状態のことをいう。すなわち、「面的に空気を導入する」とは、点からではなく面全体から空気を導入しているような状態のことをいう。
【００４１】
熱交換器８３は、排気ユニット８１によって栽培空間２ａの中から外へ排出される空気、及び導気ユニット８２によって栽培空間２ａの外から中へ導入される空気の間で熱交換を行う。
【００４２】
換気扇９は、栽培空間２ａを構成する栽培室２の壁に設けられており、換気・熱交換ユニット８とは独立して動作する。この換気扇９は、キノコの栽培を開始する前等に栽培空間２ａの強制的な換気を行う。具体的に、換気扇９は、栽培空間２ａの中から外への空気の流れを強制的に発生させて排気する。
【００４３】
吸気ポート１０は、栽培空間２ａを構成する栽培室２の壁に複数個設けられており、換気扇９の動作に起因する栽培空間２ａの外と中の圧力差によって、栽培空間２ａの外から中へ空気を導入する。この吸気ポート１０は、バルブ付きのポートであり、不使用時は閉じられ、使用時に開かれる。
【００４４】
図２に示す制御盤１１は、ＣＰＵ（Central Processing Unit）等の演算処理手段（図示省略）と、処理プログラムを格納したＨＤＤ（Hard Disk Drive）やＳＳＤ（Solid State Drive）等の補助記憶手段（図示省略）と、演算処理手段が処理プログラムを実行する上で一時的に必要とされるデータを格納するためのＲＡＭ（Random Access Memory）といった主記憶手段（図示省略）と、を備えている。
【００４５】
この制御盤１１は、ミスト発生ユニット６（図１Ａ参照）及び排気ユニット８１（図１Ａ及び図１Ｂ参照）等、菌床栽培システム１の各部の動作を制御する。冷暖房ユニット３（図１Ａ参照）による冷房運転とは異なる急速冷房運転時に制御盤１１は、第１制御Ｓ１０（図３参照）と、第２制御Ｓ２０（図３参照）と、第３制御Ｓ３０（図３参照）と、を繰り返し行う。
【００４６】
第１制御Ｓ１０（図３参照）では、排気ユニット８１（図１Ａ及び図１Ｂ参照）の動作を停止させると共に、ミスト発生ユニット６（図１Ａ参照）を動作させてミストの気化熱による冷房効果を得る。第１制御Ｓ１０（図３参照）の運転時間は、例えば１４４０分間（１日間）以下の任意の時間に、適宜設定される。例えば、第１制御Ｓ１０（図３参照）の運転時間は、１０分間と設定される。
【００４７】
第１制御Ｓ１０（図３参照）の後の第２制御Ｓ２０（図３参照）では、ミスト発生ユニット６（図１Ａ参照）の動作を停止させると共に、排気ユニット８１（図１Ａ及び図１Ｂ参照）を動作させて排気による除湿効果を得る。第２制御Ｓ２０（図３参照）の運転時間は、例えば１４４０分間（１日間）以下の任意の時間に、適宜設定される。例えば、第２制御Ｓ２０（図３参照）の運転時間は、１０分間と設定される。
【００４８】
第２制御Ｓ２０（図３参照）の後の第３制御Ｓ３０（図３参照）では、ミスト発生ユニット６（図１Ａ参照）の動作を停止させている状態を維持すると共に、排気ユニット８１（図１Ａ及び図１Ｂ参照）の動作を停止させて待機する。第３制御Ｓ３０（図３参照）の運転時間は、例えば１４４０分間（１日間）以下の任意の時間に、適宜設定される。例えば、第３制御Ｓ３０（図３参照）の運転時間は、１０分間と設定される。
【００４９】
第１制御Ｓ１０（図３参照）と、第２制御Ｓ２０（図３参照）と、第３制御Ｓ３０（図３参照）と、を繰り返す回数は、設定された急速冷房運転の時間を、第１制御Ｓ１０（図３参照）、第２制御Ｓ２０（図３参照）及び第３制御Ｓ３０（図３参照）のそれぞれの運転時間の合計時間で除すことで算出された回数でもよいし、回数として直接設定されてもよい。
【００５０】
温度計１５は、必要な個数が、栽培空間２ａ（図１Ａ及び図１Ｂ参照）の中の適所に設けられている。この温度計１５は、栽培空間２ａ（図１Ａ及び図１Ｂ参照）の中の温度を測定し、その測定結果を信号にして制御盤１１に送信する。
【００５１】
湿度計１６は、必要な個数が、栽培空間２ａ（図１Ａ及び図１Ｂ参照）の中の適所に設けられている。この湿度計１６は、栽培空間２ａ（図１Ａ及び図１Ｂ参照）の中の湿度を測定し、その測定結果を信号にして制御盤１１に送信する。
【００５２】
二酸化炭素濃度測定器１７は、必要な個数が、栽培空間２ａ（図１Ａ及び図１Ｂ参照）の中の適所に設けられている。この二酸化炭素濃度測定器１７は、栽培空間２ａ（図１Ａ及び図１Ｂ参照）の中の二酸化炭素濃度を測定し、その測定結果を信号にして制御盤１１に送信する。
【００５３】
次に、図３を用いて、菌床栽培システム１（図１Ａ、図１Ｂ及び図２参照）における急速冷房運転時の制御の流れを説明する。図３は、急速冷房運転時の制御の流れを説明するフローチャートである。
【００５４】
図３に示すように、冷暖房ユニット３（図１Ａ参照）による冷房運転とは異なる急速冷房運転時に、制御盤１１（図２参照）は、第１制御Ｓ１０と、第２制御Ｓ２０と、第３制御Ｓ３０と、を繰り返し行う。
【００５５】
第１制御Ｓ１０では、制御盤１１（図２参照）が、排気ユニット８１（図１Ａ及び図１Ｂ参照）の動作を停止させると共に、ミスト発生ユニット６（図１Ａ参照）を動作させてミストの気化熱による冷房効果を得る。
【００５６】
第１制御Ｓ１０の後の第２制御Ｓ２０では、制御盤１１（図２参照）が、ミスト発生ユニット６（図１Ａ参照）の動作を停止させると共に、排気ユニット８１（図１Ａ及び図１Ｂ参照）を動作させて排気による除湿効果を得る。
【００５７】
第２制御Ｓ２０の後の第３制御Ｓ３０では、制御盤１１（図２参照）が、ミスト発生ユニット６（図１Ａ参照）の動作を停止させている状態を維持すると共に、排気ユニット８１（図１Ａ及び図１Ｂ参照）の動作を停止させて待機する。
【００５８】
このように、菌床栽培システム１によれば、輻射熱を発生させて栽培空間２ａの中の温度を調整する冷暖房ユニット３を備えているので、温風又は冷風を発生させて栽培空間の中の温度を調整する場合と比較して、栽培空間２ａの中の環境の制御を安定して行うことができる。
【００５９】
また、菌床栽培システム１によれば、栽培空間２ａの中から外への空気の流れを発生させて排気することで栽培空間２ａの中の二酸化炭素濃度を調整する排気ユニット８１を備えているので、吸気ファン等を用い、栽培空間の外から中への空気の流れを強制的に発生させて二酸化炭素濃度を調整する場合と比較して、栽培空間２ａの中の環境の制御を安定して行うことができる。
【００６０】
また、菌床栽培システム１によれば、冷暖房ユニット３が、輻射熱を発生させる熱媒体の流路３ａを床下に有している床冷暖房ユニットであり、下方から栽培空間２ａの中全体に輻射熱が行き渡るので、冷暖房ユニットが栽培空間の中の他の場所に設置されている場合と比較して、栽培空間２ａの中の環境の制御を安定して行うことができる。
【００６１】
また、菌床栽培システム１によれば、制御盤１１が急速冷房運転時に、排気ユニット８１の動作を停止させると共にミスト発生ユニット６を動作させてミストの気化熱による冷房効果を得る第１制御Ｓ１０を行うので、冷暖房ユニット３の能力とは無関係に栽培空間２ａの中の温度を急速に低下させることができる。ひいては、高温になり易い昼間の時間帯や夏場等であっても、栽培空間２ａの中の環境の制御を安定して行うことができる。
【００６２】
また、菌床栽培システム１によれば、制御盤１１が急速冷房運転時に、第１制御Ｓ１０の後にミスト発生ユニット６の動作を停止させると共に排気ユニット８１を動作させて排気による除湿効果を得る第２制御Ｓ２０を行うので、第１制御Ｓ１０を行う時に、冷房効果を高めるために大量のミストを発生させて栽培空間２ａの中を過加湿の状態にした場合であっても、栽培空間２ａの中の湿度を適切な状態に戻すことができる。ひいては、栽培空間２ａの中の環境の制御を安定して行うことができる。
【００６３】
すなわち、菌床栽培システム１によれば、制御盤１１が急速冷房運転時に、第１制御Ｓ１０の後にミスト発生ユニット６の動作を停止させると共に排気ユニット８１を動作させて排気による除湿効果を得る第２制御Ｓ２０を行うので、第１制御Ｓ１０を行う時に、冷房効果を高めるために大量のミストを発生させて栽培空間２ａの中を過加湿の状態にすることができる。ひいては、高温になり易い昼間の時間帯や夏場等であっても、栽培空間２ａの中の環境の制御を安定して行うことができる。
【００６４】
また、菌床栽培システム１によれば、制御盤１１が急速冷房運転時に、第２制御Ｓ２０の後にミスト発生ユニット６の動作を停止させている状態を維持すると共に排気ユニット８１の動作を停止させて待機する第３制御Ｓ３０を行い、除湿された状態で待機することになるので、一旦過加湿の状態に曝された湿度計を正常に動作させることができる。ひいては、栽培空間２ａの中の環境の制御を安定して行うことができる。
【００６５】
また、菌床栽培システム１によれば、圧力差によって栽培空間２ａの外から中へ空気を導入する導気ユニット８２を備えているので、吸気ファン等を用い、栽培空間の外から中への空気の流れを強制的に発生させて二酸化炭素濃度を調整する場合と比較して、栽培空間２ａの中の環境の制御を安定して行うことができる。
【００６６】
また、菌床栽培システム１によれば、排気ユニット８１によって栽培空間２ａの中から外へ排出される空気、及び導気ユニット８２によって栽培空間２ａの外から中へ導入される空気の間で熱交換を行う熱交換器８３を備えているので、排気によって栽培空間２ａの中から外へ逃げる熱の量を低減することができる。ひいては、栽培空間２ａの中の環境の制御を安定して行うことができる。
【００６７】
また、菌床栽培システム１によれば、排気ユニット８１が栽培空間２ａの天面側から排気すると共に、導気ユニット８２が栽培空間２ａの床面側から面的に空気を導入することで、栽培空間２ａの中全体に下方から上方への緩やかな気流を発生させ、下方に滞留している二酸化炭素を拡散させながら栽培空間２ａの外へ排出するので、排気ユニットが他の場所から排気したり、導気ユニットが栽培空間の他の場所へ空気を導入したりする場合と比較して、栽培空間２ａの中の環境の制御を安定して行うことができる。
【００６８】
また、キノコの栽培方法によれば、菌床栽培システム１を用いて、キノコを栽培するので、栽培空間２ａの中の環境の制御を安定して行うことができる。ひいては、品質の高いキノコを安定して量産することができる。
【００６９】
本発明は、上記実施形態に限られるものではなく、その趣旨及び技術思想を逸脱しない範囲で種々の変形が可能である。
【００７０】
例えば、上記実施形態では、排気ユニット８１が栽培空間２ａの天面側から排気すると共に、導気ユニット８２が栽培空間２ａの床面側から面的に空気を導入する場合を例に説明したが、本発明はこれに限定されるものではなく、排気ユニットが栽培空間の床面側から排気すると共に、導気ユニットが栽培空間の天面側から面的に空気を導入するようにしてもよい。
【００７１】
この場合、栽培空間の中全体に上方から下方への緩やかな気流を発生させ、下方に滞留している二酸化炭素をそのまま栽培空間の外へ排出するので、排気ユニットが他の場所から排気したり、導気ユニットが栽培空間の他の場所へ空気を導入したりする場合と比較して、栽培空間の中の環境の制御を安定して行うことができる。
【符号の説明】
【００７２】
１  菌床栽培システム
２  栽培室
２ａ  栽培空間
２ｂ  風除空間
３  冷暖房ユニット（床冷暖房ユニット）
３ａ  流路
４  ヒートポンプ
５  井戸
５ａ  ポンプ
６  ミスト発生ユニット
６ａ  高圧ミストホース
７  熱交換器
８  換気・熱交換ユニット
８１  排気ユニット
８１ａ  排気口
８２  導気ユニット
８２ａ  導気口
８３  熱交換器
９  換気扇
１０  吸気ポート
１１  制御盤（制御ユニット）
１２  シートシャッター
１３  のぞき窓
１４  開き戸
１５  温度計
１６  湿度計
１７  二酸化炭素濃度測定器
Ｓ１０  第１制御
Ｓ２０  第２制御
Ｓ３０  第３制御
【要約】
【課題】栽培空間の中の環境の制御を安定して行う菌床栽培システム、及びそれを用いたキノコの栽培方法を提供する。
【解決手段】菌床栽培システム１は、輻射熱を発生させて栽培空間２ａの中の温度を調整する冷暖房ユニット３と、ミストを発生させて栽培空間２ａの中の湿度を調整するミスト発生ユニット６と、栽培空間２ａの中から外への空気の流れを発生させて排気することで栽培空間２ａの中の二酸化炭素濃度を調整する排気ユニット８１と、を備えている。
【選択図】図１Ａ【図１Ａ】
0006842595.tif 000002
【図１Ｂ】
0006842595.tif 000003
【図２】
0006842595.tif 000004
【図３】
0006842595.tif 000005